(57)【要約】【課題】  ボビンから繰り出した紐を上糸に巻き締め、刺繍柄を生地に強固に縫い付けることができる刺繍方法を提供する。【解決手段】  刺繍ミシンのニップル９に布押え１０を取り付け、布押え１０の針通過穴１１より上側に案内穴１２を設ける。ボビン１３を案内穴１２と同じ向きとなるようにスリーブ４に取り付ける。ボビン１３から繰り出した紐Ｃを案内穴１２に通した後に、カップ部１０ａの内側から針通過穴１１に通し、生地Ｗから略直角に起こした状態で上糸Ａに添わせる。布押え１０とボビン１３を針棒の軸線周りで回転し、紐Ｃを上糸Ａに巻き付け、生地Ｗに縫い付ける。【選択図】        図３
2008280631.tif 000002
【特許請求の範囲】
【請求項１】
ボビンから繰り出した紐を上糸に巻き付けて生地に縫い付ける刺繍方法において、紐をボビンから布押えの案内部に通し、案内部により紐を生地から起こして上糸に添わせ、ボビンと布押えを針棒の軸線周りで回転し、紐を上糸に巻き付けることを特徴とする刺繍方法。
【請求項２】
二つのボビンから繰り出した二本の紐を布押えの二つの案内部に通すことを特徴とする請求項１記載の刺繍方法。
【請求項３】
紐を布押えの針通過穴より上側の案内部に通すことを特徴とする請求項１又は２記載の刺繍方法。
【請求項４】
紐を案内部に通した後に針通過穴に通し、紐を生地から略直角に起こして上糸に添わせることを特徴とする請求項１〜３のいずれか一項に記載の刺繍方法。
【請求項５】
針棒に対しボビンと同じ方向を向く案内部に紐を通すことを特徴とする請求項１〜４のいずれか一項に記載の刺繍方法。
【発明の詳細な説明】
【技術分野】
【０００１】
本発明は、ボビンから繰り出した紐を上糸に巻き付けて生地に縫い付ける刺繍方法に関する。
【背景技術】
【０００２】
従来、刺繍ミシンにおいて、ボビンから繰り出した紐を上糸と芯糸に巻き付けて生地に縫い付ける刺繍方法が知られている。例えば、特許文献１には、図９に示すように、上糸Ａと芯糸Ｄを針棒５１の内側に通して布押え５２に供給し、紐Ｃをボビン５３からガイド５４の案内穴５５に通して布押え５２の下側に供給し、布押え５２とボビン５３とガイド５４とを針棒５１の線線周りで一体回転し、紐Ｃを上糸Ａと芯糸Ｄに巻き付けて針５６により生地Ｗに縫い付ける刺繍方法が記載されている。
【０００３】
特許文献２には、図１０に示すように、布押え５２の側方に案内部材５７を配置し、布押え５２を針棒５１の軸線周りで回転し、案内部材５７から繰り出した紐Ｃを下死点位置の布押え５２のテーパ面５２ａに巻き付け、布押え５２の上昇に伴い紐Ｃを上糸Ａと芯糸Ｄに巻き付け、針５６により生地Ｗに縫い付ける刺繍方法が記載されている。
【特許文献１】特開２００７−７３１７号公報
【特許文献２】特開平８−２２６０６７号公報
【発明の開示】
【発明が解決しようとする課題】
【０００４】
ところが、特許文献１の刺繍方法によると、紐Ｃをガイド５４で布押え５２の下側へ案内しているので、紐Ｃが生地Ｗ側に伏した状態で上糸Ａに巻き付く。特許文献２の場合は、布押え５２のテーパ面５２ａに巻き付けた紐Ｃを生地Ｗ側に滑らせているので、紐Ｃが水平面内で上糸Ａに巻き付く。このため、どちらの従来方法も、図１１に示すように、紐Ｃが緩んだ状態で上糸Ａに巻き付き、紐Ｃが細くなるほど緩みが増し、刺繍柄が生地Ｗの上でぐらつくという問題点があった。なお、図１１は芯糸Ｄを使用しないで加工した従来の刺繍柄を示す。
【０００５】
本発明の目的は、上記課題を解決し、紐を上糸に巻き締め、刺繍柄を生地に強固に縫い付けることができる刺繍方法を提供することにある。
【課題を解決するための手段】
【０００６】
上記の課題を解決するために、本発明は、ボビンから繰り出した紐を上糸に巻き付けて生地に縫い付ける刺繍方法において、紐をボビンから布押えの案内部に通し、案内部により紐を生地から起こして上糸に添わせ、ボビンと布押えを針棒の軸線周りで回転し、紐を上糸に巻き付けることを特徴とする。
【０００７】
本発明の刺繍方法では、少なくとも二種類の刺繍素材、つまり針の目穴を通る上糸と、ボビンから供給される紐とを使用する。さらに、芯糸を使用し、紐を上糸と芯糸の両方に巻き付けることもできる。紐の種類は特に限定されず、刺繍柄に応じた材質、風合い、色、太さの紐を使用できる。紐の本数は一本でも二本でもよい。
【０００８】
一本の紐を使用する場合は、一つのボビンから繰り出した一本の紐を布押えの一つの案内部に通し、この紐を針先と生地との間で上糸に巻き付けるという方法を採用できる。この刺繍方法によれば、コアとしての一本の紐に上糸を螺旋状に巻き付けた段巻き風のコア縫い柄（図４参照）を加工できる。
【０００９】
二本の紐を使用する場合は、二つのボビンから繰り出した二本の紐を布押えの二つの案内部に通し、両方の紐を針先と生地との間で上糸に巻き付けるという方法を採用できる。この刺繍方法によれば、二本の紐をねじり編みしたような斬新なツイスト縫い柄（図７参照）を加工できる。この場合、二つのボビンを針棒の周りで１８０°離れた位置に設けるのが好ましい。
【００１０】
本発明の刺繍方法では、一本または二本の紐を布押えの案内部に通して、生地の上方で拘束する。紐が生地から大きな角度で起き上がるように、下端に針通過穴を備えた布押えを使用し、紐を針通過穴より上側の案内部に通すのが好ましい。より好ましくは、紐を案内部に通した後に針通過穴に通し、紐を生地から略直角に起こして上糸に添わせるという方法を採用できる。
【００１１】
また、紐を案内部に通して生地側へスムーズに供給できるように、針棒の軸線周りにおいてボビンと案内部を同じ方向に配置し、針棒に対しボビンと同じ方向を向く案内部に紐を通すのが望ましい。布押えとしては、例えばカップ形、筒形または人足形等の部材を使用できる。案内部は、例えば穴または溝として布押えの一部に形成することができる。
【発明の効果】
【００１２】
本発明の刺繍方法によれば、紐を上糸に添わせた状態でボビンと布押えを回転するので、紐を上糸に緩みなく巻き締めて、刺繍柄を生地に強固に縫い付けることができるという優れた効果を奏する。
【発明を実施するための最良の形態】
【００１３】
この刺繍方法は、ボビン（１３）から繰り出した紐（Ｃ）を上糸（Ａ）に巻き付けて生地（Ｗ）に縫い付けるにあたり、紐（Ｃ）をボビン（１３）から布押え（１０）の針通過穴（１１）より上側の案内部（１２）に通し、案内部（１２）により紐（Ｃ）を生地（Ｗ）から起こして上糸（Ａ）に添わせ、ボビン（１３）と布押え（１０）を針棒（７）の軸線周りで回転し、紐（Ｃ）を上糸（Ａ）に巻き付けることを特徴とする。
【実施例１】
【００１４】
以下、本発明の実施例を図面に基づいて説明する。図１、図２に示すように、この刺繍ミシン１はミシン機枠（図示略）から前方（図１の右方）突出するアーム２を備え、アーム２の底壁３にスリーブ４が軸受５により垂直軸線周りで回転可能に支持されている。スリーブ４の内側には針棒ガイド６が一体回転可能かつ昇降可能に挿通され、針棒ガイド６の内側に中空状の針棒７が上下動可能に挿通されている。針棒７の下端には針８が取着され、上糸Ａが針棒７の内側を通り、針８の目穴８ａを通って生地Ｗ側へ供給される。
【００１５】
針棒ガイド６の下端にはニップル９が固定され、ニップル９の下端に布押え１０が装着されている。布押え１０は針棒７の真下に位置するカップ部１０ａと、ニップル９に取り付けられる取付部１０ｂとを備え、カップ部１０ａの下端に針８の通過穴１１が設けられ、針通過穴１１より上側の取付部１０ｂに紐Ｃの案内穴１２が形成されている。紐Ｃはボビン１３に巻き付けられ、ボビン１３が針棒７の周囲で案内穴１２と同じ方向に配置され、取付ネジ１４でスリーブ４に取り付けられている。そして、ボビン１３から繰り出した紐Ｃを案内穴１２に通した後に、カップ部１０ａの内側から針通過穴１１に通し、針板１５上の生地Ｗに供給するようになっている。
【００１６】
アーム２の後部にはモータ１７が設置され、モータ軸１８がギヤ列１９、駆動プーリ２０、ベルト２１、被動プーリ２２を介してスリーブ４に連結されている。スリーブ４は針棒ガイド６を介してニップル９に結合され、モータ１７によりスリーブ４上のボビン１３とニップル９上の布押え１０とが針棒７の軸線周りで一体回転される。針棒ガイド６の上端には溝付リング２３が固着され、溝付リング２３にニップル昇降機構のフォーク２４が係着されている。そして、刺繍ミシン１の巻縫いモードにおいて、ニップル昇降機構のモータ（図示略）とボビン回転用のモータ１７とが同期制御される。
【００１７】
上記構成の刺繍ミシン１において、次に、実施例１の刺繍方法を図３、図４に基づいて説明する。図４に示すような段巻き風のコア縫い柄Ｅ１の刺繍加工にあたり、まず、上糸を巻いたボビンをアーム２上にセットし、下糸Ｂを巻いたボビンを針板１５下側の釜（図示略）に収め、図３に示すように、一本の紐Ｃを巻いた一つのボビン１３を布押え１０の案内穴１２と同じ向きでスリーブ４に取り付ける。
【００１８】
続いて、上糸Ａを針棒７の内側に通し、針８の目穴８ａに挿通した後に（図１参照）、布押え１０の針通過穴１１に通して生地Ｗ上にセットする。次いで、紐Ｃをボビン１３から繰り出し、布押え１０の案内穴１２に通し、カップ部１０ａの内側から針通過穴１１に通して生地Ｗ上にセットする。こうすれば、紐Ｃを布押え１０で生地Ｗの上方に拘束し、生地Ｗから略直角に起きた状態で上糸Ａに添わせることができる。
【００１９】
次に、ミシンコントローラ（図示略）で巻縫いモードを選択し、刺繍ミシン１を起動すると、針８と布押え１０が上下に駆動され、これと同期し、ボビン１３と布押え１０が一体に回転される。そして、ボビン１３及び布押え１０の回転により紐Ｃが上糸Ａに巻き付けられ、針８及び布押え１０の上下動によって紐Ｃが生地Ｗに縫い付けられる。このとき、布押え１０が紐Ｃを生地Ｗから略直角に起こして上糸Ａに添わせているので、針８と生地Ｗとの間で紐Ｃが上糸Ａに強く巻き締められる。従って、図４に示すように、比較的細い紐Ｃを使用した場合でも、引き締まった風合いのコア縫い柄Ｅ１を生地Ｗ上に強固に縫い付けることができる。なお、図４は針８が一往復する間にボビン１３を一回転させて縫い付けた刺繍柄を示す。ただし、ボビン１３の回転数は紐Ｃの種類や太さに応じて変更でき、例えば、針８が一往復する間にボビン１３を１／２回転又は１／３回転させることで、図４とは異なった風合いの刺繍柄を加工することもできる。
【実施例２】
【００２０】
図５〜図７は実施例２の刺繍方法を示す。図７に示すようなねじり編み風のツイスト縫い柄Ｅ２の刺繍加工にあたっては、図５、図６に示すように、筒形の布押え２６と二つのボビン１３とを使用する。布押え２６はカップ部２６ａの下端に針通過穴２７を備え、針通過穴２７より上側の取付部２６ｂに二つの案内穴２８が針棒７（図１参照）の軸線を挟んで対向するように設けられている。二つのボビン１３は針棒７の軸線周りで案内穴２８と同じ方向に位置するようにスリーブ４に取り付けられる。
【００２１】
ボビン１３を取り付けた後、実施例１と同様に、上糸Ａを針棒７、針８、針通過穴２７の順に通して生地Ｗ上にセットする。続いて、二本の紐Ｃをそれぞれのボビン１３から繰り出し、布押え２６の二つの案内穴２８に通した後に、カップ部２６ａの内側から針通過穴２７に通して生地Ｗ上にセットする。こうすれば、二本の紐Ｃを布押え２６で拘束し、生地Ｗから略直角に起こした状態で上糸Ａに添わせることができる。
【００２２】
続いて、刺繍ミシン１を巻き縫いモードで起動し、ボビン１３及び布押え２６を回転し、二本の紐Ｃを互いに反対の方向から上糸Ａに巻き付け（図６参照）、針８及び布押え２６によって生地Ｗに縫い付ける。このときも、布押え２６が紐Ｃを生地Ｗから略直角に起こして上糸Ａに添わせているので、針８と生地Ｗとの間で紐Ｃが上糸Ａに強く巻き締められる。従って、図７に示すような斬新なツイスト縫い柄Ｅ２を生地Ｗ上に強固に縫い付けることができる。図７は針８が一往復する間にボビン１３を一回転させて縫い付けた刺繍柄を示すが、針８が一往復する間にボビン１３を１／２回転又は１／３回転させることで、図７とは異なった風合いの刺繍柄を加工することもできる。
【００２３】
なお、ツイスト縫い柄Ｅ２の刺繍加工にあたっては、図８に示すような刺繍方法を採用することもできる。ここでは、二本の紐Ｃを布押え２６の案内穴２８に通した後に、案内穴２８より下側で針通過穴２７より上側に位置する中間穴２９に通し、ボビン１３と布押え２６の回転により上糸Ａに巻き付ける。この方法によっても、布押え２６が紐Ｃを生地Ｗから起こして上糸Ａの周辺に添わせているので、実施例２と同様、紐Ｃを上糸Ａに強く巻き締め、図７に示すような引き締まったツイスト縫い柄Ｅ２を加工できる。
【００２４】
その他、本発明は上記実施例に限定されるものではなく、例えば、紐Ｃを上糸Ａと芯糸Ｄ（図９参照）の両方に巻き付けてコア縫い柄又はツイスト縫い柄を加工するなど、本発明の趣旨を逸脱しない範囲で、刺繍素材や布押えの形状を適宜変更して実施することも可能である。
【図面の簡単な説明】
【００２５】
【図１】本発明の刺繍方法を実施する刺繍ミシンの断面図である。
【図２】図１の刺繍ミシンの布押えとボビンを示す平面図である。
【図３】本発明による実施例１の刺繍方法を示す正面図である。
【図４】実施例１の刺繍方法で加工した刺繍柄を示す平面図である。
【図５】本発明による実施例２の刺繍方法を示す刺繍ミシンの正面図である。
【図６】図５の刺繍ミシンの布押えとボビンを示す平面図である。
【図７】実施例２の刺繍方法で加工した刺繍柄を示す平面図である。
【図８】実施例２の刺繍方法の変更例を示す正面図である。
【図９】従来の刺繍方法を示す刺繍ミシンの要部断面図である。
【図１０】従来の別の刺繍方法を示す刺繍ミシンの要部断面図である。
【図１１】従来の刺繍方法で加工した刺繍柄を示す平面図である。
【符号の説明】
【００２６】
１    刺繍ミシン
７    針棒
１０    布押え
１１    針通過穴
１２    案内穴
１３    ボビン
２６    布押え
２７    針通過穴
２８    案内穴
Ａ    上糸
Ｃ    紐
Ｅ１    コア縫い柄
Ｅ２    ツイスト縫い柄
Ｗ    生地
【図１】
2008280631.tif 000003
【図２】
2008280631.tif 000004
【図３】
2008280631.tif 000005
【図４】
2008280631.tif 000006
【図５】
2008280631.tif 000007
【図６】
2008280631.tif 000008
【図７】
2008280631.tif 000009
【図８】
2008280631.tif 000010
【図９】
2008280631.tif 000011
【図１０】
2008280631.tif 000012
【図１１】
2008280631.tif 000013